(57)【要約】【課題】  本発明は従来と同様な操作で洗濯物等を吊り下げて干すことができるとともに、干した洗濯物等を横方向に引張ることによりピンチが横方向に回動して、第１の吊り下げ部材と第２の吊り下げ部材がピンチの挟着解除方向に作用させて、容易にピンチより洗濯物等を取り外すことができる、構造が簡単で、操作が容易で、安価な物干し具を得るにある。【解決手段】  物干し具本体のフレームに複数個のピンチを吊り下げ部材を介して取付けた物干し具において、前記吊り下げ部材を一端部が前記フレームに取付けられ、他端部が前記ピンチの一方の摘み部に取付けられた第１の吊り下げ部材と、一端部が前記フレームに取付けられ、他端部が前記ピンチの他方の摘み部に取付けられた第２の吊り下げ部材とで物干し具を構成している。【選択図】  図３
2007105408.tif 000002
【特許請求の範囲】
【請求項１】
物干し具本体のフレームに複数個のピンチを吊り下げ部材を介して取付けた物干し具において、前記吊り下げ部材を一端部が前記フレームに取付けられ、他端部が前記ピンチの一方の摘み部に取付けられた第１の吊り下げ部材と、一端部が前記フレームに取付けられ、他端部が前記ピンチの他方の摘み部に取付けられた第２の吊り下げ部材とで構成したことを特徴とする物干し具。
【請求項２】
物干し具本体のフレームに複数個のピンチを吊り下げ部材を介して取付けた物干し具において、前記吊り下げ部材を一端部が前記フレームに取付けられ、他端部が前記ピンチの一方の摘み部に取付けられた第１の吊り下げ部材と、一端部が前記フレームに取付けられ、他端部が前記ピンチの他方の摘み部に遊びを介して取付けられた第２の吊り下げ部材とで構成したことを特徴とする物干し具。
【請求項３】
物干し具本体のフレームに複数個のピンチを吊り下げ部材を介して取付けた物干し具において、前記吊り下げ部材を一端部が前記フレームに取付けられ、他端部が前記ピンチの一方の摘み部に取付けられた第１の吊り下げ部材と、一端部が前記フレームに取付けられ、他端部が前記ピンチの他方の摘み部に形成された透孔に遊挿され、前記一方の摘み部に取付けられた第２の吊り下げ部材とで構成したことを特徴とする物干し具。
【請求項４】
物干し具本体のフレームに複数個のピンチを吊り下げ部材を介して取付けた物干し具において、前記吊り下げ部材を一端部が前記フレームに取付けられ、他端部が前記ピンチの一方の摘み部に取付けられた第１の吊り下げ部材と、一端部が前記フレームに所定間隔離間されて取付けられ、他端部が前記ピンチの他方の摘み部に形成された透孔に遊挿され、前記一方の摘み部に取付けられた２本あるいはＹ字状の第２の吊り下げ部材とで構成したことを特徴とする物干し具。
【請求項５】
物干し具本体のフレームに複数個のピンチを吊り下げ部材を介して取付けた物干し具において、前記吊り下げ部材を一端部が前記フレーム部材けられ、他端部が該フレーム部材に形成された回動阻止片に当接するように前記ピンチの一方の摘み部に取付けられた第１の吊り下げ部材と、一端部が前記フレーム部材に取付けられ、他端部が前記ピンチの他方の摘み部に形成された透孔に遊挿され、前記一方の摘み部に取付けられた第２の吊り下げ部材とで構成したことを特徴とする物干し具。
【請求項６】
第１の吊り下げ部材はヒンジ部材であることを特徴とする請求項
1ないし請求項５いずれかに記載の物干し具。
【請求項７】
第１の吊り下げ部材および第２の吊り下げ部材の一端部はフレームの同じ位置に取り付けられるとともに、第１の吊り下げ部材および第２の吊り下げ部材のフレームとピンチの摘み部への取り付けは、いずれか一方あるいは両方が着脱可能に取り付けられていることを特徴とする請求項1ないし請求項５いずれかに記載の物干し具。
【発明の詳細な説明】
【技術分野】
【０００１】
本発明は洗濯物を吊り下げて干す場合等に使用される物干し具に関する。
【背景技術】
【０００２】
従来、洗濯物を取り込む時に、容易にピンチから洗濯物を外せるようにピンチの両方の摘み部に形成した透孔を通過し、両端部が物干し具本体のフレームに取付けられた吊り下げ部材と、干す場合に前記吊り下げ部材に引張力が加わらないようにピンチを上方へ吊り上げる吊り上げ部材とを備えた物干し具が考えられている。
【０００３】
このような物干し具は、洗濯物を取り込む時には吊り上げ部材の吊り上げ状態を解除すると、ピンチから容易に洗濯物を取り外すことができるが、吊り上げ部材の吊り上げ状態や、この解除に手数がかかるとともに、構造が複雑で、コスト高になり、吊り上げ部材、ピンチおよび吊り下げ部材が絡み合いやすく、使用しずらいという欠点があった。
【特許文献１】特開平８−２０６３９５
【発明の開示】
【発明が解決しようとする課題】
【０００４】
本発明は以上のような従来の欠点に鑑み、従来と同様な操作で洗濯物等を吊り下げて干すことができるとともに、干した洗濯物等を横方向に引張ることによりピンチが横方向に回動して、第１の吊り下げ部材と第２の吊り下げ部材がピンチの挟着解除方向に作用させて、容易にピンチより洗濯物等を取り外すことができる、構造が簡単で、操作が容易で、安価な物干し具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は物干し具本体のフレームに複数個のピンチを吊り下げ部材を介して取付けた物干し具において、前記吊り下げ部材を一端部が前記フレームに取付けられ、他端部が前記ピンチの一方の摘み部に取付けられた第１の吊り下げ部材と、一端部が前記フレームに取付けられ、他端部が前記ピンチの他方の摘み部に取付けられた第２の吊り下げ部材とで物干し具を構成している。
【発明の効果】
【０００７】
以上の説明から明らかなように、本発明にあっては次に列挙する効果が得られる。
【０００８】
（１）吊り下げ部材を一端部が前記フレームに取付けられ、他端部が前記ピンチの一方の摘み部に取付けられた第１の吊り下げ部材と、一端部が前記フレームに取付けられ、他端部が前記ピンチの他方の摘み部に取付けられた第２の吊り下げ部材とで構成されているので、ピンチの挟着部に挟着された洗濯物等を取り外す場合、洗濯物を他方の摘み部に引張力が生じるように横方向に引張ることにより、一方の摘み部と他方の摘み部とが押し圧された状態となり、挟着部が開放状態となり、小さな引張力で容易にピンチより洗濯物等を取り外すことができる。
したがって、ピンチからの洗濯物等の取り外しが容易で、洗濯物等を損傷させたりするのを効率よく防止することができる。
【０００９】
（２）前記（１）によって、第１の吊り下げ部材と第２の吊り下げ部材を用いるだけでよいので、構造が簡単で、安価に製造することができる。
【００１０】
（３）前記（１）によって、従来と同様な操作でピンチに洗濯物等を吊り下げることができる。
したがって、洗濯物等の吊り下げ作業が従来と同様にでき、気軽に使用することができる。
【００１１】
（４）請求項２、３、４、５、６、７も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図６に示す本発明を実施するための最良の第１の形態において、１は本発明の物干し具で、この物干し具１は物干し竿２に吊り下げられる開閉可能なフレーム３、このフレーム３を物干し竿２に吊り下げ状態に係止するフック４とからなる物干し具本体５と、この物干し具本体５のフレーム３に所定間隔で取付けられた吊り下げ部材６を介して取付けられた複数個の、従来と同構成のピンチ７とで構成されている。
【００１４】
前記吊り下げ部材６は図３および図４に示すように、一端部が前記フレーム３に取付けられ、他端部が前記ピンチ７の一方の摘み部８に取付けられた第１の吊り下げ部材９と、一端部が前記フレーム３に取付けられ、他端部が前記ピンチ７の他方の摘み部１０に形成された透孔１１に遊挿され、前記一方の摘み部８に取付けられた第２の吊り下げ部材１２とで構成されている。
【００１５】
上記構成の物干し具１は従来と同様にピンチ７の両方の摘み部８、１０を押し圧することにより、挟着部１３が開口し、該部位に洗濯物１４を挟着固定して吊り下げて干すことができる。
【００１６】
洗濯物１４が乾燥して、物干し具１より取り外す場合、洗濯物１４をピンチ７の挟着方向と反対方向に、図５および図６に示すように引張りながら回動させることにより、第１の吊り下げ部材９と第２の吊り下げ部材１２によってピンチ７の両方の摘み部８、１０を挟める方向に移動させて挟着部１３を開放し、洗濯物１４に大きな引張力が加わることなく、従来の真下に引く場合に比べて３分の１の力で容易に取り外すことができる。
[発明を実施するための異なる形態]
【００１７】
次に、図７ないし図４１に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図７ないし図１０に示す本発明を実施するための第２の形態において、前記本発明を実施するための最良の第１の形態と主に異なる点は、一端部がフレーム３に取付けられ、他端部がピンチ７の他方の摘み部１０の透孔１１を遊挿され、遊びを介して該透孔１１で係止されるストッパー１５が形成された第２の吊り下げ部材１２Ａを使用した吊り下げ部材６Ａを用いた点で、このような吊り下げ部材６Ａを用いて構成した物干し具１Ａにしても、前記本発明を実施するための最良の第１の形態と同様な作用効果が得られる。
【００１９】
図１１ないし図１３に示す本発明を実施するための第３の形態において、前記本発明を実施するための最良の第１の形態と主に異なる点は、長方形状の開閉可能なフレーム３Ａ、このフレーム３Ａの枢支部３ａ、３ａに取付けられた吊り下げ杆１６、１６、この吊り下げ杆１６、１６の上部に取付けられたフック１７、前記吊り下げ杆１６、１６の上部と前記フレーム３Ａに取付けられた吊り下げ鎖１８、１８、１８、１８とからなる物干し具本体５Ａと、この物干し具本体５Ａのフレーム３Ａに一体形成された第１の吊り下げ部材９Ａを使用した吊り下げ部材６Ｂを用いた点で、このような吊り下げ部材６Ｂを用いて構成した物干し具１Ｂにしても、前記本発明を実施するための最良の第１の形態と同様な作用効果が得られる。
【００２０】
図１４ないし図１６に示す本発明を実施するための第４の形態において、前記本発明を実施するための最良の第１の形態と主に異なる点は、一端部がフレーム３に所定間隔離間されて取付けられ、他端部がピンチ７の他方の摘み部１０に形成した透孔１１に遊挿され、一方の摘み部８に取付けられた２本あるいはＹ字状の第２の吊り下げ部材１２Ｂを使用した吊り下げ部材６Ｃを用いた点で、このような吊り下げ部材６Ｃを用いて構成した物干し具１Ｃにしても、前記本発明を実施するための最良の第１の形態と同様な作用効果が得られるとともに、ピンチ７から洗濯物を取り外す場合に、ピンチ７が挟着方向に対して直角方向に移動するのを効率よく阻止して、さらに容易に取り外すことができる。
【００２１】
図１７ないし図１９に示す本発明を実施するための第５の形態において、前記本発明を実施するための最良の第１の形態と主に異なる点は、複数本の接続バー１９で固定した二重リング状のフレーム３Ｂ、このフレーム３Ｂを３本の吊り下げ鎖１８、１８、１８で吊り下げられたフック１７とからなる物干し具本体５Ｂと、この物干し具本体５Ｂのフレーム３Ｂに一端部が取付けられ、他端部がピンチ７の他方の摘み部１０に取付けられた第２の吊り下げ部材１２Ｃを使用した吊り下げ部材６Ｄを用いた点で、このような吊り下げ部材６Ｄを用いて構成した物干し具１Ｄにしてもよい。
【００２２】
図２０および図２１に示す本発明を実施するための第６の形態において、前記本発明を実施するための最良の第１の形態と主に異なる点は、フレーム３と薄肉部２０を介して一体形成されたヒンジ部材状の第１の吊り下げ部材９Bを使用した吊り下げ部材６Ｅを用いた点で、このような吊り下げ部材６Ｅを用いて構成した物干し具１Ｅにしても、ピンチ７から洗濯物を取り外す場合に、ピンチ７が挟着方向に対して直角方向に移動するのを効率よく阻止して、さらに容易に取り外すことができる。
なお、ヒンジ部材状の第１の吊り下げ部材９Bはフレーム３と別体に形成され、フレーム３とピンチ７の一方の摘み部１０にそれぞれ取付けられるものを使用しても良い。
【００２３】
図２２および図２３に示す本発明を実施するための第７の形態において、前記本発明を実施するための最良の第１の形態と主に異なる点は、フレーム３に取り付けるピンチ７がすべて同じ方向になるように吊り下げ部材６を介して取り付けた点で、このように構成した物干し具１Ｆにしても前記本発明を実施するための最良の第１の形態と同様な作用効果が得られるとともに、複数個のピンチ７に吊り下げられた洗濯物を取り外す場合、洗濯物１４を同一方向に引っ張ることにより、容易に取り外すことができる。特に、１つの洗濯物を複数個のピンチ７で吊り下げた場合には、効率良く複数個のピンチより取り外すことができる。
【００２４】
図２４ないし図２６に示す本発明を実施するための第８の形態において、前記本発明を実施するための最良の第１の形態と主に異なる点は、第１の吊り下げ部材９の両端部に洗濯物をピンチ７より取り外す場合の引っ張る方向に対して直角方向に該第１の吊り下げ部材９が移動するのを阻止することができる凹部２１ａ及び該凹部２１ａの両端部の凸部２１ｂ、２１ｂとからなる阻止部２１を形成したフレーム３Ｃを用いた点で、このようなフレーム３Ｃを用いて構成した物干し具１Ｇにしても、前記本発明を実施するための最良の第１の形態と同様な作用効果が得られるとともに、阻止部２１によって、ピンチ７より洗濯物を取り外す場合に図２６に示すように横方向に引っ張っても第１の吊り下げ部材９がピンチ７の挟着方向に対して直角方向に移動するのを効率よく阻止することができ、スムーズに取り外しすることができる。
【００２５】
図２７ないし図２９に示す本発明を実施するための第９の形態において、前記本発明を実施するための最良の第１の形態と主に異なる点は、逆Ｕ字状に形成されたフレーム部材３ｂを使用したフレーム３Ｄを用いるとともに、帯状の第１の吊り下げ部材９Cをフレーム３Ｄの逆Ｕ字状に形成されたフレーム部材３ｂの外側の片が回動阻止片となって当接するように形成された透孔３ｃに取り付けるとともに、帯状の第２の吊り下げ部材１２Ｄを前記第１の吊り下げ部材９Cの取り付け位置である透孔３ｃに取り付けた吊り下げ部材６Fを用いた点で、このような吊り下げ部材６Fを用いて構成した物干し具１Ｈにしても、前記本発明を実施するための最良の第１の形態と同様な作用効果が得られるとともに、ピンチ７より洗濯物を取り外す場合に第１の吊り下げ部材９Cがフレーム３Ｄの回動阻止片となる外側の片に当接して効率良くピンチ７を開放させることができる。
なお、本発明を実施する形態では帯状の第２の吊り下げ部材１２Ｄの一端部を
逆Ｕ字状に形成されたフレーム部材３ｂの帯状の第１の吊り下げ部材９Cの一端部が取り付けられている部位とは異なる内側部位に取り付けるようにしても良い。
【００２６】
図３０ないし図３２に示す本発明を実施するための第１０の形態において、前記本発明を実施するための第９の形態と主に異なる点は、ひも状の第１の吊り下げ部材９Ｄと、ひも状の第２の吊り下げ部材１２Ｅを使用した吊り下げ部材６Ｇを用いるとともに、これらの第１の吊り下げ部材９Ｄおよび第２の吊り下げ部材１２Ｅの両端部のフレーム３Ｄの逆Ｕ字状に形成されたフレーム部材３ｂの開口端部に倒れ防止片２２、２２を配置した吊り下げ部材６Ｇを用いた点で、このような吊り下げ部材６Ｇを用いて構成した物干し具１Ｉにしても、前記本発明を実施するための第９の形態と同様な作用効果が得られる。
【００２７】
図３３ないし図３５に示す本発明を実施するための第１１の形態において、前記本発明を実施するための第１０の形態と主に異なる点は、逆Ｕ字状に形成されたフレーム部材３ｂに形成された透孔３ｃに第１の吊り下げ部材９Ｅおよび第２の吊り下げ部材１２Ｆを取り付け、他端部をピンチ７の一方の摘み部１０と他方の摘み部１０に遊びを介して取り付けるとともに、前記フレーム部材３ｂに形成された透孔３ｃに一端部が取り付けられ、他端部を前記ピンチ７の中央部に位置するスプリングに吊り下げ状態では前記第１の吊り下げ部材９Ｅおよび第２の吊り下げ部材１２Ｆに遊びを有するように取り付けた第３の吊り下げ部材２３を用いた吊り下げ部材６Ｈを用いた点で、このような吊り下げ部材６Ｈを用いて点で、このように構成した物干し具１Ｊにしても、前記本発明を実施するための第９の形態と同様な作用効果が得られる。
【００２８】
図３６ないし図３８に示す本発明を実施するための第１２の形態において、前記本発明を実施するための第１０の形態と主に異なる点は、ほぼＵ字状のフレーム部材３ｄを用いたフレーム３Ｅと、このフレーム３Ｅのフレーム部材３ｄの第１の吊り下げ部材９Ｄおよび第２の吊り下げ部材１２Ｅが取り付ける部位の下部位置に一体形成された内側部位が開口するコ字状の回動阻止片２４とを用いた点で、このようなフレーム３Ｅ、回動阻止片２４を用いて構成した物干し具１Ｋにしても、前記本発明を実施するための第１０の形態と同様な作用効果が得られる。
【００２９】
図３９ないし図４１に示す本発明を実施するための第１３の形態において、前記本発明を実施するための第９の形態と主に異なる点は、アングル状のフレーム部材３ｅを用いたフレーム３Ｆと、このフレーム３Ｆのフレーム部材３ｅの第１の吊り下げ部材９Ｄおよび第２の吊り下げ部材１２Ｅが取り付ける部位の下部位置に下方へ突出する平板状あるいは内壁面が弧状の回動阻止片２４Ａとを用いた点で、このようなフレーム３Ｆ、回動阻止片２４Ａを用いて構成した物干し具１Ｌにしても、前記本発明を実施するための第９の形態と同様な作用効果が得られる。
【００３０】
なお、前記本発明を実施するための各形態ではフレーム３、３Ａ、３Ｂに取り付けるピンチ７をすべて吊り下げ部材６、６Ａ〜６Ｈを用いて吊り下げるものについて説明したが、本発明はこれに限らず、一部のピンチ７を従来と同様な吊り下げ部材を用いて吊り下げても良い。
また、前記本発明を実施するための第２の形態、第４の形態、第５の形態にも前記第６の形態のヒンジ部材状の第１の吊り下げ部材９Bを用いても良い。
さらに、フレーム３、３Ａ〜３Ｆのフレーム部材の形状は多数個のピンチ７を
第１の吊り下げ部材および第２の吊り下げ部材を介して吊り下げれるものであれば、どんな断面形状のものを用いても良い。
【産業上の利用可能性】
【００３１】
本発明は物干し具を製造する産業で利用される。
【図面の簡単な説明】
【００３２】
【図１】本発明を実施するための最良の第１の形態の正面図。
【図２】本発明を実施するための最良の第１の形態の平面図。
【図３】図２の３−３線に沿う拡大断面図。
【図４】図２の４−４線に沿う拡大断面図。
【図５】本発明を実施するための最良の第１の形態の洗濯物を取り外す動作説明図。
【図６】本発明を実施するための最良の第１の形態の洗濯物を取り外す時のピンチの動作説明図。
【図７】本発明を実施するための第２の形態の正面図。
【図８】図７の８−８線に沿う拡大断面図。
【図９】図７の９−９線に沿う拡大断面図。
【図１０】本発明を実施するための第２の形態の洗濯物を取り外す時のピンチの動作説明図。
【図１１】本発明を実施するための第３の形態の斜視図。
【図１２】図１１の１２−１２線に沿う拡大断面図。
【図１３】本発明を実施するための第３の形態のピンチの動作説明図。
【図１４】本発明を実施するための第４の形態の正面図。
【図１５】本発明を実施するための第４の形態の要部正面図。
【図１６】本発明を実施するための第４の形態の要部背面図。
【図１７】本発明を実施するための第５の形態の斜視図。
【図１８】図１７の１８−１８線に沿う拡大断面図。
【図１９】本発明を実施するための第５の形態のピンチの動作説明図。
【図２０】本発明を実施するための第６の形態の斜視図。
【図２１】図２０の２１−２１線に沿う拡大断面図。
【図２２】本発明を実施するための第７の形態の正面図。
【図２３】本発明を実施するための第７の形態の平面図。
【図２４】本発明を実施するための第８の形態の正面図。
【図２５】本発明を実施するための第８の形態の要部拡大図。
【図２６】本発明を実施するための第８の形態の横方向に引っ張った場合の説明図。
【図２７】本発明を実施するための第９の形態の正面図。
【図２８】本発明を実施するための第9の形態の要部拡大図。
【図２９】本発明を実施するための第９の形態の横方向に引っ張った場合の説明図。
【図３０】本発明を実施するための第１０の形態の正面図。
【図３１】本発明を実施するための第１０の形態の要部拡大図。
【図３２】本発明を実施するための第１０の形態の横方向に引っ張った場合の説明図。
【図３３】本発明を実施するための第１１の形態の正面図。
【図３４】本発明を実施するための第１１の形態の要部拡大図。
【図３５】本発明を実施するための第１１の形態の横方向に引っ張った場合の説明図。
【図３６】本発明を実施するための第１２の形態の正面図。
【図３７】本発明を実施するための第１２の形態の要部拡大図。
【図３８】本発明を実施するための第１２の形態の横方向に引っ張った場合の説明図。
【図３９】本発明を実施するための第１３の形態の正面図。
【図４０】本発明を実施するための第１３の形態の要部拡大図。
【図４１】本発明を実施するための第１３の形態の横方向に引っ張った場合の説明図。
【符号の説明】
【００３３】
１、１Ａ〜１Ｌ：物干し具、
２：物干し竿、                ３、３Ａ〜３Ｆ：フレーム、
４：フック、                  ５、５Ａ、５Ｂ：物干し具本体、
６、６Ａ〜６Ｈ：吊り下げ部材、
７：ピンチ、                  ８：一方の摘み部、            
９、９Ａ〜９Ｅ：第１の吊り下げ部材、
１０：他方の摘み部、          １１：透孔、
１２、１２Ａ〜１２Ｆ：第２の吊り下げ部材、
１３：挟着部、                １４：洗濯物、
１５：ストッパー、            １６：吊り下げ杆、
１７：フック、                １８：吊り下げ鎖、
１９：接続バー、              ２０：薄肉部、
２１：阻止部、                ２２：倒れ防止片、
２3：第３の吊り下げ部材、    ２４、２４Ａ：回動阻止片。
【図１】
2007105408.tif 000003
【図２】
2007105408.tif 000004
【図３】
2007105408.tif 000005
【図４】
2007105408.tif 000006
【図５】
2007105408.tif 000007
【図６】
2007105408.tif 000008
【図７】
2007105408.tif 000009
【図８】
2007105408.tif 000010
【図９】
2007105408.tif 000011
【図１０】
2007105408.tif 000012
【図１１】
2007105408.tif 000013
【図１２】
2007105408.tif 000014
【図１３】
2007105408.tif 000015
【図１４】
2007105408.tif 000016
【図１５】
2007105408.tif 000017
【図１６】
2007105408.tif 000018
【図１７】
2007105408.tif 000019
【図１８】
2007105408.tif 000020
【図１９】
2007105408.tif 000021
【図２０】
2007105408.tif 000022
【図２１】
2007105408.tif 000023
【図２２】
2007105408.tif 000024
【図２３】
2007105408.tif 000025
【図２４】
2007105408.tif 000026
【図２５】
2007105408.tif 000027
【図２６】
2007105408.tif 000028
【図２７】
2007105408.tif 000029
【図２８】
2007105408.tif 000030
【図２９】
2007105408.tif 000031
【図３０】
2007105408.tif 000032
【図３１】
2007105408.tif 000033
【図３２】
2007105408.tif 000034
【図３３】
2007105408.tif 000035
【図３４】
2007105408.tif 000036
【図３５】
2007105408.tif 000037
【図３６】
2007105408.tif 000038
【図３７】
2007105408.tif 000039
【図３８】
2007105408.tif 000040
【図３９】
2007105408.tif 000041
【図４０】
2007105408.tif 000042
【図４１】
2007105408.tif 000043